【手続補正書】
【提出日】平成22年1月14日(2010.1.14)
【手続補正１】
【補正対象書類名】明細書
【補正対象項目名】発明の名称
【補正方法】変更
【補正の内容】
【発明の名称】水晶ユニットの製造方法
【手続補正２】
【補正対象書類名】特許請求の範囲
【補正対象項目名】全文
【補正方法】変更
【補正の内容】
【特許請求の範囲】
【請求項１】
水晶音叉基部とその水晶音叉基部に接続され、対抗する主面を有する水晶音叉腕とを備えて構成され、屈曲モードで振動する音叉型屈曲水晶振動子と、その音叉型屈曲水晶振動子を収納するケースと、そのケースをカバーする蓋とを備えて構成される水晶ユニットの製造方法で、
前記水晶音叉腕は少なくとも第１水晶音叉腕と第２水晶音叉腕を備えて構成され、前記第１水晶音叉腕と前記第２水晶音叉腕の各々の一端部は前記水晶音叉基部に接続され、他端部は自由であって、前記第１水晶音叉腕と前記第２水晶音叉腕の各々は、第１主面とその第１主面に対抗する第２主面と第１側面とその第１側面に対抗する第２側面とを有する音叉型屈曲水晶振動子を備えた水晶ユニットの製造方法であって、
前記水晶音叉基部と、前記第１水晶音叉腕と前記第２水晶音叉腕とを備えた音叉形状を形成する第１工程と、
前記第１水晶音叉腕と前記第２水晶音叉腕の各々の第１主面と第２主面の各々に溝を形成する第２工程と、
前記第１水晶音叉腕の第１主面と第２主面の各々の溝に配置された電極と、前記第２水晶音叉腕の第１側面と第２側面の各々に配置された電極とが電気的に接続され、前記第２水晶音叉腕の第１主面と第２主面の各々の溝に配置された電極と、前記第１水晶音叉腕の第１側面と第２側面の各々に配置された電極とが電気的に接続され、かつ、前記第１水晶音叉腕の第１主面と第２主面の各々の溝に配置された電極の電気的極性と、前記第２水晶音叉腕の第１主面と第２主面の各々の溝に配置された電極の電気的極性とが異なるように、前記電極を配置する第３工程と、
前記電極を備えた音叉型屈曲水晶振動子をケース内に収納する第４工程と、
蓋を前記ケースに接続する第５工程と、
前記音叉型屈曲水晶振動子の周波数を調整する第６工程と、を含み、かつ、前記音叉型屈曲水晶振動子は基本波モード振動と２次高調波モード振動を備え、前記基本波モード振動の等価直列抵抗Ｒ１が、前記２次高調波モード振動の等価直列抵抗Ｒ２より小さくなるように、前記溝の長さ寸法と前記音叉型屈曲水晶振動子の全長の寸法を決定する工程を備えていることを特徴とする水晶ユニットの製造方法。
【請求項２】
請求項１において、前記第１工程から前記第６工程はその工程の順になされていて、前記ケースは貫通穴を備え、前記第５工程の後に、かつ、前記第６工程の前に、前記ケースの貫通穴を金属を用いて真空中で封止する工程を備えていることを特徴とする水晶ユニットの製造方法。
【請求項３】
請求項１において、前記第１工程から前記第５工程はその工程の順になされていて、前記第６工程は前記第４工程の後に、かつ、前記第５工程の前になされることを特徴とする水晶ユニットの製造方法。
【請求項４】
請求項１において、前記第１工程から前記第５工程はその工程の順になされていて、前記第４工程の後に、かつ、前記第５工程の前に前記第６工程はなされ、前記ケースは貫通穴を備え、蓋を前記ケースに接続する第５工程の後に、前記ケースの貫通穴を金属を用いて真空中で封止する工程を備えることを特徴とする水晶ユニットの製造方法。
【請求項５】
請求項１または請求項３において、前記ケースは貫通穴を備え、前記ケースの貫通穴を金属を用いて真空中で封止する工程と、前記第５工程の後に、かつ、前記ケースの貫通穴を金属を用いて真空中で封止する工程の前に、前記音叉型屈曲水晶振動子の周波数を真空中で調整する工程とを備えていることを特徴とする水晶ユニットの製造方法。
【請求項６】
請求項１から請求項５のいずれかにおいて、前記第１水晶音叉腕と前記第２水晶音叉腕の各々の第１主面と第２主面の各々に溝を形成する前記第２工程は、前記溝の形状が上面図で四角形と異なる多角形の形状であるように前記溝を形成する工程を含むことを特徴とする水晶ユニットの製造方法。
【手続補正３】
【補正対象書類名】明細書
【補正対象項目名】０００７
【補正方法】変更
【補正の内容】
【０００７】  即ち、本発明の水晶ユニットの製造方法の第１の態様は、水晶音叉基部とその水晶音叉基部に接続され、対抗する主面を有する水晶音叉腕とを備えて構成され、屈曲モードで振動する音叉型屈曲水晶振動子と、その音叉型屈曲水晶振動子を収納するケースと、そのケースをカバーする蓋とを備えて構成される水晶ユニットの製造方法で、前記水晶音叉腕は少なくとも第１水晶音叉腕と第２水晶音叉腕を備えて構成され、前記第１水晶音叉腕と前記第２水晶音叉腕の各々の一端部は前記水晶音叉基部に接続され、他端部は自由であって、前記第１水晶音叉腕と前記第２水晶音叉腕の各々は、第１主面とその第１主面に対抗する第２主面と第１側面とその第１側面に対抗する第２側面とを有する音叉型屈曲水晶振動子を備えた水晶ユニットの製造方法であって、前記水晶音叉基部と、前記第１水晶音叉腕と前記第２水晶音叉腕とを備えた音叉形状を形成する第１工程と、前記第１水晶音叉腕と前記第２水晶音叉腕の各々の第１主面と第２主面の各々に溝を形成する第２工程と、前記第１水晶音叉腕の第１主面と第２主面の各々の溝に配置された電極と、前記第２水晶音叉腕の第１側面と第２側面の各々に配置された電極とが電気的に接続され、前記第２水晶音叉腕の第１主面と第２主面の各々の溝に配置された電極と、前記第１水晶音叉腕の第１側面と第２側面の各々に配置された電極とが電気的に接続され、かつ、前記第１水晶音叉腕の第１主面と第２主面の各々の溝に配置された電極の電気的極性と、前記第２水晶音叉腕の第１主面と第２主面の各々の溝に配置された電極の電気的極性とが異なるように、前記電極を配置する第３工程と、前記電極を備えた音叉型屈曲水晶振動子をケース内に収納する第４工程と、蓋を前記ケースに接続する第５工程と、前記音叉型屈曲水晶振動子の周波数を調整する第６工程と、を含み、かつ、前記音叉型屈曲水晶振動子は基本波モード振動と２次高調波モード振動を備え、前記基本波モード振動の等価直列抵抗Ｒ１が、前記２次高調波モード振動の等価直列抵抗Ｒ２より小さくなるように、前記溝の長さ寸法と前記音叉型屈曲水晶振動子の全長の寸法を決定する工程を備えている水晶ユニットの製造方法である。
本発明の水晶ユニットの製造方法の第２の態様は、第１の態様において、前記第１工程から前記第６工程はその工程の順になされていて、前記ケースは貫通穴を備え、前記第５工程の後に、かつ、前記第６工程の前に、前記ケースの貫通穴を金属を用いて真空中で封止する工程を備えている水晶ユニットの製造方法である。
【手続補正４】
【補正対象書類名】明細書
【補正対象項目名】０００８
【補正方法】変更
【補正の内容】
【０００８】本発明の水晶ユニットの製造方法の第３の態様は、第１の態様において、前記第１工程から前記第５工程はその工程の順になされていて、前記第６工程は前記第４工程の後に、かつ、前記第５工程の前になされる水晶ユニットの製造方法である。
本発明の水晶ユニットの製造方法の第４の態様は、第１の態様において、前記第１工程から前記第５工程はその工程の順になされていて、前記第４工程の後に、かつ、前記第５工程の前に前記第６工程はなされ、前記ケースは貫通穴を備え、蓋を前記ケースに接続する第５工程の後に、前記ケースの貫通穴を金属を用いて真空中で封止する工程を備える水晶ユニットの製造方法である。
本発明の水晶ユニットの製造方法の第５の態様は、第１の態様または第３の態様において、前記ケースは貫通穴を備え、前記ケースの貫通穴を金属を用いて真空中で封止する工程と、前記第５工程の後に、かつ、前記ケースの貫通穴を金属を用いて真空中で封止する工程の前に、前記音叉型屈曲水晶振動子の周波数を真空中で調整する工程とを備えている水晶ユニットの製造方法である。
本発明の水晶ユニットの製造方法の第６の態様は、第１の態様から第５の態様のいずれかにおいて、前記第１水晶音叉腕と前記第２水晶音叉腕の各々の第１主面と第２主面の各々に溝を形成する前記第２工程は、前記溝の形状が上面図で四角形と異なる多角形の形状であるように前記溝を形成する工程を含む水晶ユニットの製造方法である。